(57)【要約】【課題】撮影時の状況や撮影者の意向に応じて、異物の写り込みを柔軟且つ適切に除去できる電子カメラを提供する。【解決手段】撮像素子の撮像面を覆う光学部材の表面に付着している異物を除去する異物除去動作を行う除去手段ＰＥと、光学部材の表面に付着している異物を特定するための画像データであって、該異物を識別可能な状態で撮像する補正画像取得動作によって取得された補正画像データを記憶する記憶手段１０７と、異物除去動作後に補正画像取得動作を行う第１動作モードと、補正画像取得動作後に異物除去動作を行う第２動作モードと、異物除去動作とは無関係に補正画像取得動作を行う第３動作モードとのうちの少なくとも何れか２つの動作モードを具備すると共に、該具備する複数の動作モードから何れか１つの動作を選択可能とする制御装置１０１とを備えて構成される。【選択図】図２
2008271029.tif 000002
【特許請求の範囲】
【請求項１】
撮影光学系からの光学像を、撮像面を覆う光学部材を介して撮像する撮像素子を備えた電子カメラであって、
前記光学部材の表面に付着している異物を除去する異物除去動作を行う除去手段と、
前記光学部材の表面に付着している異物を特定するための画像データであって、該異物を識別可能な状態で撮像する補正画像取得動作によって取得された補正画像データを記憶する記憶手段と、
前記異物除去動作後に前記補正画像取得動作を行う第１動作モードと、前記補正画像取得動作後に前記異物除去動作を行う第２動作モードと、前記異物除去動作とは無関係に前記補正画像取得動作を行う第３動作モードとのうちの少なくとも何れか２つの動作モードを具備すると共に、該具備する複数の動作モードから何れか１つの動作を選択可能であることを特徴とする電子カメラ。
【請求項２】
撮影光学系からの光学像を、撮像面を覆う光学部材を介して撮像する撮像素子を備えた電子カメラであって、
前記光学部材の表面に付着している異物を除去する異物除去動作を行う除去手段と、
前記光学部材の表面に付着している異物を特定するための画像データであって、該異物を識別可能な状態で撮像する補正画像取得動作によって取得された補正画像データを記憶する記憶手段と、
前記補正画像取得動作後に前記異物除去動作を行うよう動作制御する制御手段と、を有することを特徴とする電子カメラ。
【請求項３】
前記補正画像取得動作では、撮像視野内全域に亘って無地な被写体を撮像することにより、前記補正画像データを取得することを特徴とする請求項１又は２に記載の電子カメラ。
【請求項４】
前記記憶手段は、複数の補正画像データを、各補正画像データの取得日時を示す取得日時データと共に記憶可能であり、
前記記憶手段に記憶された複数の補正画像データの中から１つの補正画像データを選択する補正画像データ選択手段を更に有することを特徴とする請求項１〜３の何れか一項に記載の電子カメラ。
【請求項５】
通常撮影した複数の撮像画像を、その撮影日時を示す撮影日時データとともに記憶する撮影画像記憶手段と、
前記撮影画像記憶手段に記憶された複数の撮影画像の中から、前記補正画像データを用いて補正を施す撮影画像を選択する撮影画像選択手段と、を更に有し、
前記補正画像データ選択手段は、前記撮影画像選択手段で選択された撮影画像の撮影日時データと、前記補正画像データの取得日時データとに基づいて、前記複数の補正画像データの中から前記撮影画像の補正に使用される補正画像データを選択することを特徴とする請求項４に記載の電子カメラ。
【請求項６】
前記補正画像データ選択手段は、前記撮影画像の撮影日時データに最も近い取得日時データに対応する補正画像データを選択することを特徴とする請求項５に記載の電子カメラ。
【請求項７】
前記撮影光学系は電子カメラ本体に着脱可能な交換式撮影光学系であり、
前記撮影光学系が交換された交換日時を示す交換日時データを記憶する交換日時データ記憶手段を更に有し、
前記補正画像データ選択手段は、前記撮影日時データ、前記取得日時データ、及び前記交換日時データに基づいて、前記補正画像データを選択することを特徴とする請求項５に記載の電子カメラ。
【請求項８】
電子カメラの設定状態に基づいて、前記複数の動作モードのうち前記設定状態に最適な動作モードを自動的に選択し、且つ前記選択した動作モードの選択を推奨するための推奨動作を行う推奨手段を、更に有することを特徴とする請求項１〜７の何れか一項に記載の電子カメラ。
【請求項９】
前記複数の動作モードの１つとして、前記補正画像取得動作とは無関係に前記異物除去動作を行う第４動作モードを更に含むことを特徴とする請求項１に記載の電子カメラ。
【請求項１０】
前記異物除去手段は、前記光学部材の表面を振動させて、該表面上に付着した異物を除去することを特徴とする請求項１〜９の何れか一項に記載の電子カメラ。
【発明の詳細な説明】
【技術分野】
【０００１】
本発明は、電子カメラに関し、特に、電子カメラ内に設けられる撮像素子の結像面（撮影面）近傍に付着する塵埃等の異物の写り込みを防止するための異物除去機能を備える電子カメラに関する。
【背景技術】
【０００２】
一眼レフ方式の電子カメラをはじめとするレンズ交換式の電子カメラにおいては、交換可能なレンズによってその撮影の範囲が広がるが、交換の際に塵や埃等の異物がカメラ内部に進入することが避けられない。また、一眼レフ方式では、カメラ内部に撮影レンズからの光学像をファインダ又は撮像素子へ選択的に導くためのミラーやメカニカルシャッタ等を駆動するための機構部が設けられており、該機構部から異物が発生する場合もある。このような進入ないし発生した異物の撮像素子への付着を防止するため、撮像素子の撮像面の前面に配置されるローパスフィルタや赤外吸収ガラス等の光学フィルタに、帯電や付着を防止するためのコーティングを施すことが行われているが、未だ十分とは言えず、異物の写り込みを防止するための異物除去方式の開発が行われている。
【０００３】
異物除去方式としては、大別して、圧電素子等で上述の光学フィルタに振動を積極的に与えて、異物自体を機械的に除去する（はじき飛ばす）方式（以下、ダストリムーバルということがある）と、白い無地背景で撮影を行うことにより得られる、異物のみを写し込んだ補正画像を取得して、この補正画像を用いて撮影画像からソフトウエア的に除去する方式（以下、イメージダストオフということがある）とが開発されている。機械的な除去方式を組み込んだ電子カメラとしては、例えば、下記特許文献１、下記特許文献２に開示されたものが知られている。
【０００４】
ところで、機械的な除去方式であるダストリムーバルを用いたとしても、異物を完全には除去することはできないので、ソフト的な除去方式であるイメージダストオフを併用することが望ましいと言える。そこで、従来は、ダストリムーバルを実施して、付着する異物を少なくした後に、イメージダストオフに用いるための補正画像データの取得動作を実施し、この補正画像を用いて、その後に撮影される画像を補正することが行われている。また、このようなダストリムーバル後にイメージダストオフに用いるための補正画像の取得動作を行うモードと、ダストリムーバルのみを実施するモードとを選択できるようにしたものもある。
【０００５】
ここで、イメージダストオフは、必然的に、撮影画像に写り込んだ異物と、補正画像の取得動作で取得された補正画像に写り込んだ異物の位置及び形状が同じでなければ補正効果を十分に発揮することができず、異なる場合にはむしろ画質を悪化させることになる。しかしながら、ダストリムーバル後にイメージダストオフに用いるための補正画像の取得動作を行い、その後に撮影される画像に対してイメージダストオフを行うようにした従来技術では、補正画像取得動作から撮影（撮影画像の取得動作）までの間に異物の位置及び形状が変化した場合には十分な効果を発揮することができず、撮影時の状況や撮影者の意向に応じて、適切に異物の写り込みを除去することができない場合があるという問題があった。
【０００６】
また、ダストリムーバル後にイメージダストオフに用いるための補正画像の取得動作を行うモードと、ダストリムーバルのみを実施するモードとを選択できるようにした従来技術では、そのような選択肢のないものと比較して撮影者の意向を、より反映できるものではあるが、未だ十分ではなく、撮影時の状況や撮影者の意向に応じて、柔軟に対応できるものではないという問題あった。
【０００７】
本発明は上述したような点に鑑みてなされたものであり、撮影時の状況や撮影者の意向に応じて、より適切且つ柔軟に対応することができ、異物の写り込みをより有効に除去することができる電子カメラを提供することを目的とする。
【特許文献１】特開２００２−２０４３７９号公報
【特許文献２】特開２００５−１５１２３３号公報
【発明の開示】
【課題を解決するための手段】
【０００８】
本発明の第１の観点によると、撮影光学系からの光学像を、撮像面を覆う光学部材を介して撮像する撮像素子を備えた電子カメラであって、前記光学部材の表面に付着している異物を除去する異物除去動作を行う除去手段と、前記光学部材の表面に付着している異物を特定するための画像データであって、該異物を識別可能な状態で撮像する補正画像取得動作によって取得された補正画像データを記憶する記憶手段と、前記異物除去動作後に前記補正画像取得動作を行う第１動作モードと、前記補正画像取得動作後に前記異物除去動作を行う第２動作モードと、前記異物除去動作とは無関係に前記補正画像取得動作を行う第３動作モードとのうちの少なくとも何れか２つの動作モードを具備すると共に、該具備する複数の動作モードから何れか１つの動作を選択可能である電子カメラが提供される。
【０００９】
本発明の第２の観点によると、撮影光学系からの光学像を、撮像面を覆う光学部材を介して撮像する撮像素子を備えた電子カメラであって、前記光学部材の表面に付着している異物を除去する異物除去動作を行う除去手段と、前記光学部材の表面に付着している異物を特定するための画像データであって、該異物を識別可能な状態で撮像する補正画像取得動作によって取得された補正画像データを記憶する記憶手段と、前記補正画像取得動作後に前記異物除去動作を行うよう動作制御する制御手段と、を有する電子カメラが提供される。
【発明の効果】
【００１０】
本発明の第１の観点に係る発明では、異物除去動作後に補正画像取得動作を行う第１動作モードと、補正画像取得動作後に異物除去動作を行う第２動作モードと、異物除去動作とは無関係に補正画像取得動作を行う第３動作モードとのうちの少なくとも何れか２つの動作モードから何れか１つの動作を選択可能としたので、撮影時の状況や撮影者の意向に応じて、異物の写り込みを柔軟且つ適切に除去することができるという効果がある。
【００１１】
また、本発明の第２の観点に係る発明では、補正画像取得動作後に異物除去動作を行うようにしたので、異物を機械的に除去する前の補正画像データを保全することができ、異物を機械的に除去する前に撮影した画像を適切に補正することができるようになるという効果がある。
【発明を実施するための最良の形態】
【００１２】
以下、本発明の実施形態について、図面を参照して詳細に説明する。
【００１３】
〔電子カメラの全体構成〕
図１は本発明の実施形態に係る電子カメラの概略構成を模式的に示す断面図である。このカメラは、撮影レンズの交換が可能な一眼レフ方式のデジタルカメラである。
【００１４】
図１において、カメラＣＭは、カメラボディＣＢ及びカメラボディＣＢに交換可能に装着される撮影レンズＣＬを備えて構成されている。撮影レンズＣＬは、レンズマウントＬＭを介して、カメラボディＣＢに装着される。カメラボディＣＢの上部には、ファインダ部ＦＤが一体的に固定されている。但し、本発明は、レンズ交換式のカメラに用いて特に好適であるが、撮影レンズＣＬはカメラボディＣＢに一体的に固定されているカメラにも適用可能である。
【００１５】
カメラボディＣＢの内部には、高解像度（例えば、一千万画素）のＣＣＤあるいはＣＭＯＳ等の撮像素子１０が取り付けられている。撮像素子１０は、撮像面に結像される被写体の像を画像信号に変換して出力する。なお、撮像素子１０の前面（撮影レンズＣＬ側）には、赤外光をカットするための赤外カットフィルタ、画像の折り返しノイズを防止するための光学的ローパスフィルタ、撮像面を保護するための保護ガラス等の光学部材としての、光学フィルタＯＦが設けられている。
【００１６】
光学フィルタＯＦには、異物除去手段の一例としての圧電素子（超音波振動子）ＰＥが取り付けられている。この圧電素子ＰＥは、自らが振動して光学フィルタＯＦに振動を付与することにより、光学フィルタＯＦの表面に付着している異物をはじき飛ばすためのものである。この実施形態では、圧電素子ＰＥは、光学フィルタＯＦに接触した状態で、左右方向（図１で紙面に垂直な方向）に離間して、撮像素子１０の撮像面の外側にそれぞれ１個ずつの計２つが設けている。但し、圧電素子ＰＥは１個又は３個以上でもよく、光学フィルタＯＦを支持する支持枠等に取り付けてもよい。また、圧電素子ＰＥは撮像素子１０に振動を付与するように設けてもよい。
【００１７】
光学フィルタＯＦの表面（撮像面に対して反対側の面）には、帯電を防止し、その表面への異物の付着をできるだけ少なくするためのコーティング等が施されている。撮像素子１０の撮像面と光学フィルタＯＦとの間の部分は密封空間となっており、外部からの異物の侵入により、撮像面に異物が付着してしまうことが防止されるようになっている。
【００１８】
撮像素子１０は、電気的な制御により投影される被写体の像の露光時間を調節するための電子シャッタ（機能）を備えている。また、撮像素子１０の前面側には、斜光部材を機械的に駆動して露光時間を調節するためのメカニカルシャッタ１１が設けられている。このメカニカルシャッタ１１は、詳細図示は省略するが、アクチュエータ等を備える駆動装置によって駆動される該斜光部材としての先幕及び後幕を有し、静止画の撮影のためのレリーズスイッチ（ボタン）が押下（全押し）されると、まず先幕が撮像素子１０の撮像面を遮蔽している状態から該撮像面を開放する状態となるように走行され、予め設定されたシャッタ速度に相当する時間の経過後に、後幕が該撮像面を開放している状態から該撮像面を遮蔽する状態となるように走行される。先幕の走行後、後幕の走行が完了するまでの間、撮影レンズＣＬを介した被写体の像が撮像素子１０の撮像面に結像されることになる。
【００１９】
ファインダ部ＦＤは、撮影レンズＣＬや後述するクイックリターンミラーＲＭ等を介して形成される被写体の光学像を目視観察するための光学式のファインダであり、フォーカシングスクリーン（焦点板）１２、ペンタプリズム１３、測光素子１４、測光光学系１５、接眼部（接眼レンズ）１６等を備えて構成されている。測光素子１４は、シャッタスピードや絞り値を決定するために、これに結像される像の明るさを測定する素子である。
【００２０】
カメラボディＣＢの背面には、撮像素子１０に結像される画像を表示可能な画像表示モニタ（液晶パネル）１７が設けられている。従って、被写体の像は、ファインダ部ＦＤの接眼部１６又は画像表示モニタ１７の何れかを介して目視できるようになっている。なお、画像表示モニタ１７には、画像の他に、後述する制御装置（１０１）による制御の下、各種のメニュー画面や選択画面等も表示されるようになっている。
【００２１】
カメラボディＣＢ内において、撮像素子１０の前面側（メカニカルシャッタ１１よりも更に前面側）には、クイックリターンミラーＲＭが回動可能に軸支されている。クイックリターンミラーＲＭのメインミラー１８の裏面側（下側）には、サブミラー１９が設けられている。クイックリターンミラーＲＭは、図１中に２点鎖線で示すように、撮像素子１０の撮像面に対して略４５度で該撮像素子１０の前面を遮断する、即ち撮影レンズＣＬの光路内に配置される位置に設定される第１姿勢（ミラーダウン状態）と、図１において時計方向に回動して撮像素子１０の撮像面に対して略直交（フォーカシングスクリーン１２の下側で略平行）となる、即ち撮影レンズＣＬの光路外に配置される位置に設定される第２姿勢（ミラーアップ状態）となるように、選択的に高速動作可能なミラーである。
【００２２】
クイックリターンミラーＲＭの駆動は、不図示の駆動装置により行われる。本実施形態では、クイックリターンミラーＲＭと上述したメカニカルシャッタ１１の駆動は、同一の駆動装置によって行われるようになっている。但し、別の駆動装置によりそれぞれ駆動するようにしてもよい。クイックリターンミラーＲＭのメインミラー１８はその一部（中央部近傍）がハーフミラー、その余の部分が全反射ミラーとなっており、クイックリターンミラーＲＭが第１姿勢にある状態で、撮影レンズＣＬからの光は、その殆どが該メインミラー１８によってファインダ部ＦＤ（フォーカシングスクリーン１２）側へ反射され、メインミラー１８のハーフミラー部を透過した一部の光は、サブミラー１９で反射されるようになっている。サブミラー１９で反射された光は、不図示の光学系を介して、位相差検出方式のＡＦ検出素子２０に入射される。
【００２３】
なお、図１では、サブミラー１９は、メインミラー１８に一体的に固定されているように描かれているが、サブミラー１９もその一端（メインミラー１８側の一端）が回動可能に軸支されており、メインミラー１８の動作に連動して回転して、クイックリターンミラーＲＭが第１姿勢にあるときには、メインミラー１８のハーフミラーを透過した光を下方へ反射するような姿勢となり、クイックリターンミラーＲＭが第２姿勢にあるときには、メインミラー１８とほぼ平行となるような姿勢となる。
【００２４】
クイックリターンミラーＲＭが第２姿勢に切り換えられると、撮影レンズＣＬからの光は上述したメカニカルシャッタ１１を介して撮像素子１０に入射される。位相差式ＡＦ検出素子２０は、２つのラインセンサ及び入射される光を２つに分割して該ラインセンサにそれぞれ入射させるマスク等を備えて構成されている。マスクにより２つに分けられた光を２つのラインセンサ上にそれぞれ再結像させて、それぞれの像面位置の差を検出する。この差がピントのズレ量（デフォーカス量）に相当する。
【００２５】
撮影レンズＣＬは、被写体の像を撮像素子１０の撮像面上に結像させるための撮影光学系である。図１では、撮影レンズＣＬは焦点距離が変更可能なズームレンズであるものとするが、単焦点レンズであってもよい。フィッシュアイレンズ、広角レンズ、望遠レンズ、マイクロレンズ等を任意に交換して装着することも可能である。
【００２６】
撮影レンズＣＬは、レンズ鏡筒内部に、メインレンズ、焦点距離調節レンズ、フォーカスレンズ（焦点調節レンズ）等を含む複数のレンズからなるレンズ係２１，２１、及び絞り２２等を備えて構成されている。焦点距離調節レンズ及び焦点調節レンズは、それぞれ撮影レンズＣＬの光軸ＡＸに沿う方向に移動可能に取り付けられている。
【００２７】
焦点距離調節レンズは、図示しないズーム環等を撮影者が手動で回すことにより、その光軸ＡＸ方向の位置が変化し、それに応じて撮影レンズＣＬの焦点距離を変化させることができるようになっている。焦点調節レンズは、駆動モータ（アクチュエータ）により光軸ＡＸに沿う方向の位置が変化され、その位置の変化はエンコーダによりモニタされるようになっている。絞り２２は、撮像素子１０へ入射させる光の量を調節するための可変開口絞りであり、絞りの設定は、測光素子１４の出力等に基づき、又は撮影者の手動操作により設定される。
【００２８】
カメラボディＣＢの上部又は背面には、図示は省略するが、撮影者が指示内容を手動入力するための各種のスイッチ、押しボタン、ダイヤル、十字キー等の操作部及び撮影モード等を含む各種の設定内容を表示するための情報表示パネル（画像表示モニタ１７とは別の小型液晶パネル）等が配置されている。操作部としては、電源をオン／オフする電源ダイヤル、レリーズボタン、メニューボタン、項目選択十字キー、ＯＫボタン（決定ボタン）等が設けられている。
【００２９】
クイックリターンミラーＲＭは、第１姿勢が基本姿勢であり、通常はこの姿勢となっていることにより、撮影者はファインダ部ＦＤを介して、撮影レンズＣＬからの被写体の像を目視できるようになっている。静止画の撮影操作（レリーズボタンが全押しされる操作）がなされると、クイックリターンミラーＲＭが第２姿勢に切り換えられ、これとほぼ同時にメカニカルシャッタ１１が作動された後、クイックリターンミラーＲＭは元の基本姿勢である第１姿勢に速やかに戻される。これにより、１枚の画像が撮像され、記録される。クイックリターンミラーＲＭが第２姿勢となることにより、ファインダ部ＦＤへの被写体の像の供給は一瞬遮断される。なお、動画撮影や動画表示を行う場合には、クイックリターンミラーＲＭは、第２姿勢を継続的に維持するようになっている。
【００３０】
〔制御系の構成〕
図２は本実施形態に係る電子カメラの制御系の概略構成を示すブロック図である。同図において、１０１はマイクロコンピュータ等によって構成される制御装置（制御手段）であり、後述する各ブロックから出力される信号の入力を受けて所定の演算を行い、演算結果に基づいて制御信号を各ブロックへ出力する。なお、この制御装置１０１を含む各ブロックであって、電源を必要とするものには、不図示の電池（バッテリパック）から電力が供給されるようになっている。
【００３１】
ＳＷ１は上述した電源ダイヤルの回転位置に連動してオン／オフする電源スイッチである。ＳＷ２は上述したレリーズボタンの押下に連動して作動するスイッチであり、このレリーズスイッチＳＷ２は、レリーズボタンを半押し位置まで押下することによりオンするスイッチと、該レリーズボタンを全押し位置まで押下することによりオンするスイッチとを有している。レリーズボタンは、半押し位置まで押下することにより焦点検出を指示し、全押し位置まで押下することにより撮影を指示するためのボタンである。
【００３２】
ＳＷ３はメニューボタンの押下に連動してオンされるメニュースイッチであり、メニューボタンが押下されることにより、画像表示モニタ１７にメニュー画面が表示される。ＳＷ４は上述した項目選択十字キーの操作に連動して作動するスイッチであり、十字キーの上下左右の４箇所の押下にそれぞれ連動する４つのスイッチを有している。項目選択十字キーは、画像表示モニタ１７に表示される選択項目を選択するためのカーソル移動キーである。ＳＷ５は上述したＯＫボタンに連動するスイッチであり、ＯＫボタンは項目選択十字キーを用いて選択した項目を確定的に決定するためのボタンである。
【００３３】
撮像素子１０は、撮影レンズＣＬを透過した被写体光を受光して画像信号（蓄積電荷としてのアナログ信号）を出力する。この撮像素子１０の感度は、例えば、ＩＳ０１００相当等の所定の感度ＳＶが設定される。撮像素子１０からの画像信号は、Ａ／Ｄ変換回路（ＡＦＥ）１０３に供給され、ゲイン調整などの処理が行われた後に、デジタル信号に変換され、画像処理回路１０５に送られる。タイミング回路１０４は、撮像素子１０を駆動するタイミング信号及びＡ／Ｄ変換回路１０３に駆動するタイミング信号を出力する。
【００３４】
画像処理回路（画像処理エンジン）１０５は、ＡＳＩＣ（Application Specific Integrated Circuit）等で構成され、前述のＡ／Ｄ変換回路１０３から出力されるデジタル信号の原画像データ（ＲＡＷ画像データ）を後述のバッファメモリ１０６へ出力する。また、デジタル信号である原画像データに対してホワイトバランス（ＷＢ）調整、輪郭補償、ガンマ補正などの画像処理、及び画像処理した後に所定の形式（ＪＰＥＧ、ＴＩＦＦフォーマット等）で圧縮する圧縮処理（現像処理）等を行う。原画像データ又は圧縮処理後の画像データは、後述の記録媒体１０７へ出力される。
【００３５】
なお、原画像データを保存するか、圧縮後のデータを保存するかは、撮影者により入力指定された画質モード設定に従って行われる。後述するソフトウエア的に異物を除去するイメージダストオフの処理においては、圧縮処理は一般に不可逆圧縮であるため、原画像データ、即ちＲＡＷ画像データである撮影画像データ及び補正画像データが用いられる。また、記録媒体１０７に記録された画像は、このカメラにＵＳＢ等を介して接続されるパーソナルコンピュータ等に適宜転送し、あるいは記録媒体１０７をカメラから取り出して、読み取り装置を介してパーソナルコンピュータ等に読み込ませることができる。
【００３６】
バッファメモリ１０６は、原画像データや圧縮処理後の圧縮画像データを一時的に格納するためのメモリであり、ＳＲＡＭ、ＶＲＡＭ、ＳＤＲＡＭ等を用いることができる。記録媒体１０７はフラッシュメモリなどから構成されるメモリカード等であって、圧縮処理後の画像データ又は原画像データを記録するものであり、カメラに対して着脱可能となっている。
【００３７】
表示駆動回路１０８は、入力された画像信号を画像表示モニタ１７に出力して、当該画像を表示させるために画像表示モニタ１７を駆動する回路である。画像表示モニタ１７には、制御装置１０１による制御の下、表示駆動回路１０８を介して各種選択項目の表示画面等も表示される。シャッタ制御部１０９は、シャッタ１１の先幕及び後幕の保持並びにそれぞれの解除を制御する。ミラー制御部１１０は、不図示のシーケンスモータの回転を制御して、クイックリターンミラーＲＭの第１姿勢と第２姿勢との間の切り換え動作を制御する。
【００３８】
測光制御部１１１は、撮影レンズＣＬを透過し、測光素子１４の検出値に基づいてレンズ透過光量を算出する。焦点制御部１１２は、ＡＦ検出素子２０の出力に基づいて、撮影レンズＣＬのフォーカスレンズを光軸ＡＸ方向に進退駆動する不図示のフォーカス駆動部に対する制御信号を出力する。ファインダ液晶１１３は、ファインダ部ＦＤ内に設けられ、接眼部１６を介して目視可能な情報表示パネルである。
【００３９】
圧電素子制御部１１４は、撮像素子１０の撮像面の前面に設けられた光学フィルタＯＦに振動を付与して、光学フィルタＯＦの表面に付着している異物を除去するための圧電素子ＰＥの駆動を制御する。
【００４０】
〔ダストリムーバル〕
レンズ交換式の一眼レフカメラでは、レンズ交換作業中にカメラ外部から塵埃等の異物がカメラボディ内に侵入し、あるいはクイックリターンミラー等の可動部から削り粉等の異物が発生する場合がある。これらの異物が撮像素子の撮像面の前に設けられた光学フィルタＯＰの表面に付着した状態で、撮影を行うと、当該異物が撮影画像に写り込み、画質を低下させてしまうことになる。このような異物は、ブロアやクリーニングキットを用いて、撮影者自らが、あるいはサービスショップに持ち込んで、専門の担当者が清掃作業を行うことにより除去されることになるが、これらの作業は煩雑であり、撮影者が行う場合にはその技量により十分に清掃できなかったり、専門の担当者が行う場合には別途費用が発生し、頻繁には行い難いものである。
【００４１】
ダストリムーバル機能は、レンズを取り外すことなく、簡易な操作で、あるいは全自動で、フィルタ表面に付着した異物を除去する機能であり、上述したような清掃作業の頻度を減らし、あるいは不要とするための機能である。この実施形態の電子カメラでは、このダストリムーバル機能を実現するために、上述したように、撮像素子１０の撮像面の前面に設けられた光学フィルタＯＦに振動を付与して、当該異物をはじき飛ばすことにより除去する圧電素子ＰＥが設けられている。なお、この実施形態では、圧電素子により振動を与えて異物を除去する方式のものについて説明するが、ダストリムーバル機能を実現するための方式としては、これに限定されず、エアを吹き付け又は吸引する等により異物を除去するようなものであってもよい。
【００４２】
この実施形態では、ダストリムーバルは、カメラの電源オン時に自動的に起動し、又は撮影者の指示に応じて起動できるようになっている。まず、電源オン時に起動する場合について、説明する。
【００４３】
撮影者により電源ダイヤルがオン位置に設定され、これに連動する電源スイッチＳＷ１がオンされると、制御装置１０１、画像処理回路１０５の初期化、撮影レンズＣＬが備えるレンズ制御系との通信の初期化等の各部の初期化、測光や焦点検出動作等が開始される。これらの動作と並行して、制御装置１０１による制御の下、圧電素子制御部１１４を介して、圧電素子ＰＥの作動が開始、即ちダストリムーバルが開始され、圧電素子ＰＥの振動により光学フィルタＯＦ上に付着している異物が振るい落とされる。
【００４４】
圧電素子制御部１１４による圧電素子ＰＥの駆動は、圧電素子ＰＥの共振周波数で行われることが、異物の除去効率の観点から効果的であるが、圧電素子ＰＥの共振周波数は温度等の変動に伴い変動する（ばらつく）ため、その変動範囲を網羅するように、共振周波数付近の周波数をスキャン、即ち共振周波数よりも低い周波数と高い周波数の範囲で周波数を順次ステップ変化させつつ駆動する。例えば、圧電素子ＰＥの共振周波数が１００ＫＨｚであるとした場合には、９８ＫＨｚから１０２ＫＨｚの間を１００Ｈｚのステップで周波数を変化させつつ駆動する。各周波数における駆動時間は、例えば２０ｍＳ（ミリ秒）とすることができる。
【００４５】
従って、この場合には、４ＫＨｚの範囲を１００Ｈｚのステップで、即ち４０ポイントでそれぞれ２０ｍＳずつ駆動するので、全体として、約０．８秒を要することになる。通常、その他の初期処理に要する時間は、０．１Ｓ（秒）程度であり、ダストリムーバルの実行に伴い、その間撮影者は撮像の開始を待つ必要があるが、ダストリムーバルに要する時間は上述したように０．８Ｓ程度と短いので、操作上特に問題になることはないと考えられる。
【００４６】
但し、ダストリムーバル中に、レリーズボタンが押下される、即ち撮影の指示が撮影者からカメラに与えられる場合もあり得、その場合には、その他の初期化処理が終了していれば、撮影することが可能であるので、ダストリムーバルを中止して撮影動作に移行する。レリーズボタンの操作以外の操作、例えば、各種モードの設定変更等の場合には、ダストリムーバルは中止しない。
【００４７】
また、カメラは電源スイッチＳＷ１がオンの状態のままで、所定の期間何らの操作も行われなかった場合には、省電力モードに移行するようになっている。省電力モードからの復帰（再起動）は、撮影者によるボタン操作等の何からの操作があった場合に行われ、この再起動の際にも、ダストリムーバルを実施するようにしてもよい。但し、この場合においては、再起動の要因がレリーズボタンの押下である場合には、速やかに撮影を行うことが求められるので、ダストリムーバルは最初から起動させないようにするのがよい。
【００４８】
上述した説明では、ダストリムーバルの自動起動は、電源がオンされた場合（又は省電力モードから復帰した場合）に一律に実施するようにしている。電源のオン／オフ操作は頻繁に行われることが多いので、こうすることにより、常に光学フィルタＯＦの表面を清浄な状態とすることができ、品質の高い画像を撮影することが可能となる。しかしながら、カメラ内での異物の発生は短期間で生じることはあまり無く、レンズ交換がなされた場合、即ち外気が進入した場合に発生することが多い。従って、撮影者による電源オン／オフの操作頻度によっては過剰となり効率的でない場合も考えられる。
【００４９】
このような場合には、制御装置１０１が備える時計に基づいて、前回のダストリムーバル実施日時（年月日時分をいう。以下同じ。）から予め決められた、あるいは撮影者により任意に設定された所定の期間が経過した後に、初めて電源がオンされた場合にダストリムーバルを実施し、所定の期間が経過していない場合には、電源がオンされても、ダストリムーバルを起動しないようにすることもできる。
【００５０】
また、これと併用し、あるいは単独で、レンズ交換の実施の有無を検出して、レンズ交換を実施した後、初めて電源がオンされた場合にダストリムーバルを実施し、レンズ交換が実施されていない場合には、電源がオンされても、ダストリムーバルを起動しないようにすることもできる。レンズ交換の有無の検出は、例えば、レンズマウントＬＭにレンズ装着の解除を検出するセンサを設け、あるいは撮影レンズＣＬが備えるレンズ情報に含まれる当該レンズの識別情報を検出して比較判断することにより行うことができる。
【００５１】
上述したダストリムーバルの自動起動（電源がオンされた場合に一律に行う、省電力モードからの復帰の際に行う、所定期間経過後に電源オンされた場合に行う、又はレンズ交換された後に電源オンされた場合に行う等）を選択可能なモードとして、撮影者が予め設定登録しておくことにより、それに応じて起動するようにしてもよい。
【００５２】
次に、撮影者が手動でダストリムーバルを起動させる方法について、撮影者による操作を中心に説明する。撮影者が、メニューボタンを押下すると、制御装置１０１は、所定のメインメニュー画面を画像表示モニタ１７に表示する。このメインメニュー画面には、各種の選択項目の他に、「セットアップメニュー」という項目が表示されているので、撮影者は項目選択十字キーを操作して、カーソル（項目のハイライト表示等）を当該項目の選択位置に設定し、ＯＫボタンを押下する。この操作により、制御装置１０１は、所定のセットアップメニューを画像表示モニタ１７に表示する。このセットアップメニュー画面には、各種のセットアップに関する選択項目の他に、「ダストリムーバルの起動」という項目が表示されているので、撮影者は項目選択十字キーを操作して、カーソルを当該項目の選択位置に設定し、ＯＫボタンを押下する。
【００５３】
この操作に応じて、制御装置１０１は、図３に示されているように、ダストリムーバルの起動画面を画像表示モニタ１７に表示する。このダストリムーバルの起動画面には、同図に示されるように、「起動する」という項目と、「キャンセル」という項目が表示されているので、撮影者は項目選択十字キーを操作して、カーソルを「起動する」に設定してＯＫボタンを押下する。図３では、「起動する」が選択されている状態（枠が太く表示され、且つ枠の横に三角形の選択指示表示が表示されている状態）が示されている。なお、この画面において、「キャンセル」を選択してＯＫボタンを押下した場合には、ダストリムーバルの起動画面を終了し、一階層上のセットアップメニュー画面若しくは更にその上の階層であるメインメニュー画面に戻り、又は通常のカメラ動作に復帰する。
【００５４】
撮影者によりダストリムーバルの起動の指示がなされた場合には、制御装置１０１は、図４に示されているように、ダストリムーバルが動作中であることを撮影者に通知するため、「ＤＲ動作中」という文字を画像表示モニタ１７に表示するとともに、圧電素子制御部１１４を介して、圧電素子ＰＥの駆動を開始して、ダストリムーバルを実施する。ダストリムーバルが終了したならば、図４の表示を終了し、一階層上のセットアップメニュー画面若しくは更にその上の階層であるメインメニュー画面に戻り、又は通常のカメラ動作に復帰する。
【００５５】
なお、ダストリムーバルの動作中に、他の操作ボタン等が操作された場合には、ダストリムーバル動作は継続したまま、ダストリムーバル起動画面の表示は終了し、当該操作に応じた処理に移行する。但し、ダストリムーバルの動作中に、レリーズボタンが押下された場合には、ダストリムーバルの動作を終了して、撮影動作に移行する。
【００５６】
また、ダストリムーバルの起動は、上述したような表示項目を選択することにより行うのではなく、ダストリムーバル専用の（又は他のボタン等と併用したものであってもよい）ボタン等を設け、これを操作することにより起動するようにしてもよい。
【００５７】
〔イメージダストオフデータの取得処理〕
上述したように、ダストリムーバルは、圧電素子を用いて光学フィルタの表面に振動を付与することにより機械的に付着している異物を振り落とす異物除去機能である。異物の中には、このような振動を付与することにより振り落とされるものもあるが、中には粘着性の高いものやそのような振動を与えてもなお光学フィルタＯＰ上に残存する異物が存在する場合がある。このような場合に、予め異物のみが写し込まれた無地画像を補正画像として、異物が写り込んだ撮影画像を補正することにより、当該異物に相当する画像（ノイズ）を当該撮影画像からソフトウエア的に除去する機能が、イメージダストオフ機能である。
【００５８】
イメージダストオフを行うためには、異物のみが写し込まれた補正画像データ（以下、イメージダストオフデータとも言う）を、撮影の前又は後に取得する必要がある。以下、このイメージダストオフデータの取得処理について、撮影者による操作を中心として説明する。
【００５９】
撮影者が、メニューボタンを押下すると、制御装置１０１は、所定のメインメニュー画面を画像表示モニタ１７に表示する。このメインメニュー画面には、各種の選択項目の他に、「セットアップメニュー」という項目が表示されているので、撮影者は項目選択十字キーを操作して、カーソル（項目のハイライト表示等）を当該項目の選択位置に設定し、ＯＫボタンを押下する。この操作により、制御装置１０１は、所定のセットアップメニューを画像表示モニタ１７に表示する。このセットアップメニュー画面には、各種のセットアップに関する選択項目の他、「イメージダストオフ取得」という項目が表示されているので、撮影者は項目選択十字キーを操作して、カーソルを当該項目の選択位置に設定し、ＯＫボタンを押下する。
【００６０】
この操作に応じて、制御装置１０１は、図５に示されているように、イメージダストオフ取得画面を画像表示モニタ１７に表示する。このイメージダストオフ取得画面には、同図に示されるように、ダストリムーバルを実施した後にイメージダストオフデータの取得を行うモード（第１モード）を意味する「ＤＲ後ＤＦ取得」という項目と、イメージダストオフデータを取得した後にダストリムーバルを実施するモード（第２モード）を意味する「ＤＦ取得後ＤＲ」という項目と、イメージダストオフデータのみを取得するモード（第３モード）を意味する「ＤＦ取得のみ」という項目が表示されているので、撮影者は項目選択十字キーを操作して、カーソルを各選択項目の何れかに移動設定してＯＫボタンを押下する。
【００６１】
撮影者により、図５に示されているように、「ＤＲ後ＤＦ取得」が選択され、ＯＫボタンが押下されると、制御装置１０１は、図６に示されているように、ダストリムーバルが動作中であることを撮影者に通知するため、「ＤＲ動作中」という文字を画像表示モニタ１７に表示するとともに、圧電素子制御部１１４を介して、圧電素子ＰＥの駆動を開始して、ダストリムーバルを実施する。
【００６２】
ダストリムーバルが終了したならば、画像表示モニタ１７に、イメージダストオフデータの取得のための条件設定を促すメッセージを表示する。ここでは、図７に示されているように、「明るく白い紙などを撮影して下さい。」とのメッセージが表示される。撮影者は、このメッセージに従って、明るく白い紙等を被写体として撮影、即ちレリーズボタンを押下する。これにより、イメージダストオフデータが取得され、その原画像データが、イメージダストオフデータであることを示す識別情報及び取得日時を示す取得日時データとともに、記録媒体１０７に記録保存される。なお、この場合の被写体としては、ライトボックス等が均一性等の観点から好適である。画像記録が終了したならば、通常のカメラ動作に復帰する。
【００６３】
なお、イメージダストオフデータ取得時のカメラの設定としては、ピントは無限遠に、撮像感度は最低感度に、画質モードはＲＡＷ（原画像）に、露出モードは絞り優先に、絞りは最小にセットする。これらの設定は、カメラが自動で行うようにしてもよいし、撮影者によって手動で行われるようにしてもよい。なお、装着されている撮影レンズＣＬがズームレンズである場合には、望遠側にセットする。
【００６４】
次に、イメージダストオフ取得画面において、撮影者により、図８に示されているように、「ＤＦ取得後ＤＲ」が選択され、ＯＫボタンが押下されると、制御装置１０１は、画像表示モニタ１７に、ダストオフデータの取得のための条件設定を促すメッセージ、ここでは、図７に示されているように、「明るく白い紙などを撮影して下さい。」とのメッセージを表示する。撮影者は、このメッセージに従って、上記と同様に、明るく白い紙等を被写体として撮影することにより、イメージダストオフデータに係る原画像データが、識別情報及び取得日時データとともに、記録媒体１０７に記録保存される。
【００６５】
画像記録が完了したならば、制御装置１０１は、図６に示されているように、ダストリムーバルが動作中であることを撮影者に通知するため、「ＤＲ動作中」という文字を画像表示モニタ１７に表示するとともに、圧電素子制御部１１４を介して、圧電素子ＰＥの駆動を開始して、ダストリムーバルを実施する。ダストリムーバルが終了したならば、通常のカメラ動作に復帰する。
【００６６】
ダストリムーバルの動作中に、他の操作ボタン等の操作が行われた場合には、ダストリムーバルの動作を継続したまま、イメージダストオフ取得画面からは抜けて操作に応じた動作を行う。但し、この操作がレリーズボタンの押下である場合には、ダストリムーバルを中止して、撮影動作に移行する。なお、ここでは、イメージダストオフデータの記録媒体１０７への記録保存が完了した後に、ダストリムーバルを起動するようにしたが、イメージダストオフデータの記憶完了を待たずに、ダストリムーバルを起動するようにしてもよい。
【００６７】
次に、イメージダストオフ取得画面において、撮影者により、図９に示されているように、「ＤＦ取得のみ」が選択され、ＯＫボタンが押下されると、制御装置１０１は、画像表示モニタ１７に、ダストオフデータの取得のための条件設定を促すメッセージ、ここでは、図７に示されているように、「明るく白い紙などを撮影して下さい。」とのメッセージを表示する。撮影者は、このメッセージに従って、上記と同様に、明るく白い紙等を被写体として撮影することにより、イメージダストオフデータに係る原画像データが、識別情報及び取得日時データとともに、記録媒体１０７に記録保存される。イメージダストオフデータの記録が終了したならば、通常のカメラ動作に復帰する。
【００６８】
上述したように、ダストリムーバルを実施した後にイメージダストオフデータの取得するモードと、イメージダストオフデータを取得した後にダストリムーバルを実施するモードと、イメージダストオフデータのみを取得するモードとの３つのモードの中から、撮影者が任意に選択できるようにしたので、撮影者の意向に柔軟に対応できるとともに、撮影の状況等に応じて最適なイメージダストオフデータを取得することができる。
【００６９】
なお、上述した説明では、ダストリムーバルの起動画面（図３）とイメージダストオフ取得画面（図５）とは、それぞれ別の画面とした場合を例示しているが、イメージダストオフ取得画面（図５）に４番目の選択項目として、ダストリムーバルのみを実施するモード（第４モード）を意味する「ＤＲのみ」という項目を追加して、これらの４の選択項目の中から任意に１つを選択できるようにしてもよい。また、イメージダストオフ取得画面（図５）では、３つの項目を表示して選択できるようにしているが、これらのうちの何れか２つの項目を表示して選択できるようにしてもよく、あるいは「ＤＲのみ」を追加した４つの項目のうちから少なくとも２つを表示して選択できるようにしてもよい。
【００７０】
また、上述した説明では、イメージダストオフ取得画面（図５）では、３つの取得モードから撮影者の判断に従って選択するようにしているが、推奨手段を設けて、推奨モードを強調（ハイライト）表示する等により、撮影者による選択作業をアシストすることが、撮影者の操作性の観点から好ましい。なお、推奨手段は、制御装置１０１が対応するプログラムを実行することにより実現される機能である。
【００７１】
撮影者による選択作業をアシストするためのアシスト処理は、例えば、撮影者が上述した操作を行ってイメージダストオフ取得画面（図５）を表示させた時点からある期間内にレンズ交換がなされていた場合（即ち、「レンズ交換がなされた」という設定状態にある場合）には、新たな異物がカメラ内に進入した可能性があるので、第１モード、即ちダストリムーバル後にイメージダストオフデータを取得するモードを推奨モードとして強調表示し、あるいはイメージダストオフデータが長期間に渡って得られていないという設定状態にあるならば、異物が付着している状態で撮像された画像が既に存在する可能性があるから、第２モード、即ちイメージダストオフデータ取得後にダストリムーバルを実施するモードを推奨モードとして強調表示する処理である。
【００７２】
「レンズの交換がなされた」という設定状態にあるか否かは、レンズの交換日時を検出して、レンズ交換日時データを、記録媒体１０７又はバッファメモリ１０６に記憶しておき、上述したイメージダストオフ取得画面（図５）を表示させた時点と当該レンズ交換日時とを比較して、所定の期間内にレンズ交換がなされているか否かにより判断する。また、イメージダストオフデータが長期間に亘って得られていないという設定状態にあるか否かは、上述したイメージダストオフ取得画面（図５）を表示させた時点と当該イメージダストオフデータの取得日時とを比較して、所定の期間以上イメージダストオフデータの取得がなされていないか否かにより判断する。
【００７３】
なお、推奨モードは、前回のレンズ交換日時から図５に示すイメージダストオフ取得画面表示時点までの間に撮像の事実があるか否かにより決定するようにしてもよい。即ち、当該期間内に撮影の事実がない場合には第１モードを、当該期間内に撮影の事実がある場合には第２モードを強調表示するようにする。
【００７４】
〔イメージダストオフ処理（補正処理）〕
次に、イメージダストオフデータを用いて、撮影画像から異物に相当する画像を除去するための補正処理であるイメージダストオフ処理について、撮影者による操作を中心として説明する。
【００７５】
撮影者が、メニューボタンを押下すると、制御装置１０１は、所定のメインメニュー画面を画像表示モニタ１７に表示する。このメインメニュー画面には、各種の選択項目の他、「画像編集」という項目が表示されているので、撮影者は項目選択十字キーを操作して、カーソル（項目のハイライト表示等）を当該項目の選択位置に設定し、ＯＫボタンを押下する。この操作により、制御装置１０１は、所定の画像編集メニューを画像表示モニタ１７に表示する。この画像編集メニュー画面には、各種の画像編集に関する選択項目の他に、「イメージダストオフ処理」という項目が表示されているので、撮影者は項目選択十字キーを操作して、カーソルを当該項目の選択位置に設定し、ＯＫボタンを押下する。
【００７６】
この操作に応じて、制御装置１０１は、図１０に示されているように、イメージダストオフ処理画面を画像表示モニタ１７に表示する。このイメージダストオフ処理画面には、同図に示されるように、「処理画像選択」という項目と、「キャンセル」という項目が表示されているので、撮影者は項目選択十字キーを操作して、カーソルを「処理画像選択」に設定して（図１０に示す表示状態）ＯＫボタンを押下する。なお、この画面において、「キャンセル」を選択してＯＫボタンを押下した場合には、イメージダストオフ処理画面を終了し、一階層上の画像編集メニュー画面若しくは更にその上の階層であるメインメニュー画面に戻り、又は通常のカメラ動作に復帰する。
【００７７】
撮影者により処理画像の選択の指示がなされた場合には、制御装置１０１は、図１１に示されているように、イメージダストオフ処理が可能な撮影画像データ（撮影者によって撮影し記録された撮影画像であって、前述のイメージダストオフデータ以外の撮影画像データのこと）を記録媒体１０７から読み出し、これらのサムネイル（縮小画像）を、画像表示モニタ１７上に表示する。イメージダストオフ処理が可能な撮影画像データとは、ここでは、原画像（ＲＡＷ画像）データを意味し、ＪＰＥＧ画像やＴＩＦＦ画像等の不可逆圧縮処理された画像データは含まれない。なお、可逆圧縮された画像データである場合には、元の原画像データに復元する伸長処理を実施することにより、イメージダストオフ処理が可能な撮影画像データとして用いることができる。
【００７８】
ここでは、同図に示されているように、１画面に２×３に配列された６画像（画像１〜画像６）のマルチ表示を行っている。６画像以上の対象画像がある場合には、項目選択十字キーを操作して、画面切替又はスクロールさせることにより、他のサムネイルを表示することができるようになっている。マルチ表示は、ここでは、２×３の６画像としたが、画像表示モニタ１７の大きさ等との関係で、他の配列、他の枚数であってもよい。
【００７９】
図１１の処理画像選択画面において、撮影者が項目選択十字キーを用いて、表示された複数のサムネイルからイメージダストオフ処理を実施するべき対象画像を選択して、ＯＫキーを押下すると、制御装置１０１は、記録媒体１０７に記録されたイメージダストオフデータのうち、図１１の処理画像選択画面で選択された画像（ここでは、便宜的に画像１とする）の撮影日時の前後で最も近い撮影日時に係るイメージダストオフデータを読み出し、図１２に示されているように、画像表示モニタ１７にダストオフデータ選択画面を表示する。なお、図１１の処理画像選択画面において、サムネイルのうちの一つを選択した状態で、拡大キーを押下することにより、当該画像の拡大表示ができるようになっている。この拡大表示の状態からは、縮小キーを押下することにより、当該サムネイル表示に戻ることができるようになっている。
【００８０】
ダストオフデータ選択画面には、ここでは、一例として、同図（図１２）に示すように、図１１の処理画像選択画面で選択された画像（処理対象画像）の撮影日時「２００６．１．３  １９：０７」（これは「年．月．日  時：分」を示す）を中欄に表示し、上欄に、当該画像１の撮影日時よりも前に取得されたイメージダストオフデータのうちの最も近いものに係る情報を、下欄に、当該画像１の撮影日時よりも後に取得されたイメージダストオフデータのうち最も近いものに係る情報を表示している。
【００８１】
イメージダストオフデータに係る情報としては、同図では、イメージダストオフデータの取得モード（ＤＲ後ＤＦ取得、ＤＦ取得後ＤＲ、ＤＦ取得のみ）を伴うアイコンが左側に、その右側に、当該イメージダストオフデータの取得日時が表示されている。イメージダストオフデータに係るアイコンは、ダストリムーバルの実施との関係がアイコンの表示を見ることにより容易に判別できるようになっており、同図では、ダストリムーバルを「ＤＲ」と、イメージダストオフデータの取得を「ＮＤＦ」と標記している。
【００８２】
これらのアイコン中、上段に「ＤＲ」下段に「ＮＤＦ」を伴うアイコンは、第１モードで取得されたデータ、即ち、ダストリムーバルを実施した後に取得されたデータであることを示している。また、同図には示されていないが、上段に「ＮＤＦ」下段に「ＤＲ」を伴うアイコンは、第２モードで取得されたデータ、即ちダストリムーバルを実施する前に取得されたデータであることを示している。さらに、第３モードで取得されたデータ、即ちダストリムーバルを実施することなく取得されたデータである場合には、アイコンの上段に「ＮＤＦ」下段は無表示で表示する。なお、アイコンではなく、イメージダストオフデータに係る画像をサムネイル表示するようにしてもよいが、画像としては意味のないものであるので、上記のようなアイコン等で表示することが好ましい。
【００８３】
撮影者は、項目選択十字キーを用いて、イメージダストオフに使用するイメージダストオフデータ（ここでは、例えば、上欄のイメージダストオフデータ）を選択して、ＯＫボタンを押下することにより、選択されたイメージダストオフデータを用いて、処理対象である画像１が補正されることにより、当該画像１から異物の写り込みが補正除去される。この補正処理では、処理対象の画像データからイメージダストオフデータを画素単位で差し引くことにより、写り込んだ異物に係る画像が消去される。このように、各イメージダストオフデータは、処理対象の画像の撮影日時との関係で、その先後関係、取得モード及び取得時間を一目で把握することができるように表示されているため、撮影者にとって非常に分かり易く、操作性に優れている。
【００８４】
この補正処理には、通常ある程度の時間を要するため、図１３に示されているように、処理中は、ダストオフデータ処理の進捗状況を、プログレスバー等を用いて表示する。同図では、現時点で３０％の処理が完了し、残り７０％であることが示されている。処理が終了したならば、該処理が終了した画像データを、撮影者による事前の入力設定に応じて、記録媒体１０７に別途又は上書き保存する。イメージダストオフ処理が完了すると、通常のカメラ動作に復帰する。
【００８５】
なお、図１２に示すダストオフデータの選択画面では、画像表示モニタ１７のサイズ等との関係を考慮して、処理対象の画像の撮影日時の前後に取得されたイメージダストオフデータについての情報（２つ）を表示するようにしたが、イメージダストオフデータが更に複数存在する場合には、適宜に縮小表示する等により、図１４に示されているように、複数のイメージダストオフデータについての情報を表示し、何れかを選択できるようにしてもよい。
【００８６】
この場合にも、イメージダストオフデータの取得モードや取得日時を、処理対象の画像の撮影日時との関係で、図１４に示すように、一目で把握できるような表示構成とすることが望ましい。図１４のアイコン中の表示の意味は、図１２について説明したのと同様である。このように、イメージダストオフデータの選択項目を更に複数とすることにより、撮影者による選択の範囲を拡大することができ、撮影者の意向に、より柔軟に対応することができる。また、各イメージダストオフデータのアイコンは取得時間順に表示され、且つそれぞれ取得日時が併記されているため、撮影者にとって分かり易く、処理画像に最適なイメージダストオフデータを選択することが可能である。
【００８７】
なお、上述した説明では、図１２において、処理対象の画像の撮影日時との関係で前後２つのイメージダストオフデータの中から１つを選択できるようにしているが、項目選択十字キーを操作に応じて、更に前又は後のイメージダストオフデータについての情報を、画面切替により、あるいはスクロール表示することにより、更に前又は後のイメージダストオフデータを選択できるようにしてもよい。
【００８８】
ところで、図１２に表示されている例においては、処理対象の画像の撮影日時の前後に取得されたイメージダストオフデータの取得モードは、何れもダストリムーバル実施後にイメージダストオフデータを取得するモード（第１モード）となっている。通常は、ダストリムーバル実施後の異物の付着状態は、その実施前の異物の付着状態とは異なっている場合が多いので、後（後欄）のイメージダストオフデータよりも、前（前欄）のイメージダストオフデータの方が、処理対象の画像の補正に用いるデータとして、異物の付着状態が同等であると考えられるため、より適切であると言える。
【００８９】
従って、このような場合には、撮影画像の撮影時の異物の付着状況により近いと考えられる前欄のイメージダストオフデータをハイライト表示（強調表示）等により推奨データとして撮影者にわかるように表示することが望ましい。この推奨データの表示形式としては、ハイライト表示のみならず、色をその余のものと異なるものにする等、他の表示形式でもよいし、あるいは図１２のダストオフデータ取得画面を表示する際に、カーソルを当該推奨データに設定して、それが推奨データであることを、撮影者にわかるようにしてもよい。
【００９０】
このような推奨に関し、取得モードとの関係で優劣がつかない場合に、あるいはこれとは無関係に、撮影画像の撮影日時に取得日時がより近いイメージダストオフデータを推奨データとし、あるいはレンズ交換の日時を検出して、レンズ交換日時データとして記録媒体１０７又はバッファメモリ１０６に記憶しておき、これとの関係でより適切な推奨データを決定する等、他の観点から推奨データを決定するようにしてもよい。
【００９１】
レンズ交換日時データを用いて推奨データを決定する場合には、レンズ交換により、新たな異物の侵入の可能性があり、異物の付着状態は、一般に変化すると考えられるので、撮影画像の撮影日時よりも前にレンズ交換がなされた場合には、当該レンズ交換後に取得されたイメージダストオフデータを、撮影画像の撮影日時よりも後にレンズ交換がなされた場合には、当該レンズ交換前に取得されたイメージダストオフデータを推奨データとする。この場合において、撮影画像の撮影日時の前後に、レンズ交換時期との関係でほぼ同等なイメージダストオフデータがある場合には、上述した撮影日時に取得日時が近いイメージダストオフデータを推奨データとする等、上述した各種の観点を総合的に判断して、推奨データを決定するとよい。
【００９２】
なお、図１２に例示したような場合には、後欄のイメージダストオフデータを表示せずに選択できないようにしてもよい。但し、一般的な適切性としては、上述の通り前欄のイメージダストオフデータが優れていると考えられるが、後欄のイメージダストオフデータが全く使用できないかと言えば、そうでもなく、例えば、付着している異物が粘着性の高いものであり、ダストリムーバルによっても除去し得ないようなものである場合には、後欄のデータを用いることも可能である。一方、前欄のデータが必ずしも撮影画像の撮影時の異物の付着状態と一致しているとは限らない。従って、選択肢としては、このような後欄のデータも表示して選択できるようにしておいた方が、撮影者の意向に添った処理ができるため有利であると言える。
【００９３】
また、この実施形態では、複数のイメージダストオフデータがある場合に、撮影者に選択させたイメージダストオフデータを用いて補正処理を行うようにしているが、上述した推奨データの決定と同様な処理を用いて最適データを決定し、上述したようなイメージダストオフデータの選択を実施することなく、当該最適データを用いて自動的にダストオフデータ処理を実施するようにしてもよい。この場合には、図１１の処理画像選択画面において、処理対象の画像を選択した後、図１２を表示することなく、当該最適データを用いて直ちにダストオフデータ処理の実施を開始して、図１３の処理の進捗を表示することになる。
【００９４】
また、図１４に示すように、多数のイメージダストオフデータの中から１つを選択できるようにする場合には、上述したような推奨データの表示は特に効果的である。なお、図１４に例示したものでは、処理対象の画像の撮影日時の直前に取得されたイメージダストオフデータの取得モードは、ダストリムーバル実施後にイメージダストオフデータを取得するモード（第１モード）であり、処理対象の画像の撮影日時の直後に取得されたイメージダストオフデータの取得モードは、イメージダストオフデータ取得後にダストリムーバルを実施するモード（第２モード）であり、取得モードの観点からは両データは同等であると言えるので、この場合には、処理対象の画像の撮影日時との関係で、より近い方（即ち直前のイメージダストオフデータ）を推奨データ又は最適データとすることになる。
【００９５】
なお、上述した図３〜図１４等に示す画面は、画像表示モニタ１７に表示するものとして説明したが、ファインダＦＤ内部に設けられ、接眼部１６を介して目視可能なファインダ内液晶１１３により表示するようにしてもよい。また、イメージダストオフデータは、記録媒体１０７に記録するものとしたが、バッファメモリ１０６又はカメラ内に設けられる他の専用メモリ等に記録するようにしてもよい。
【００９６】
以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【図面の簡単な説明】
【００９７】
【図１】本発明の実施形態の電子カメラの概略構成を示す断面図である。
【図２】本発明の実施形態の電子カメラの制御系の構成を示すブロック図である。
【図３】本発明の実施形態のダストリムーバル起動画面であって、ダストリムーバルを起動するか否かを選択する画面を示す図である。
【図４】本発明の実施形態のダストリムーバル起動画面であって、ダストリムーバル動作中を表示する画面を示す図である。
【図５】本発明の実施形態のイメージダストオフデータ取得画面であって、取得モードを選択するための画面を示す図（その１）である。
【図６】本発明の実施形態のイメージダストオフデータ取得画面であって、ダストリムーバル動作中を表示する画面を示す図である。
【図７】本発明の実施形態のイメージダストオフデータ取得画面であって、データ取得のために撮影者が行うべき作業を表示する画面を示す図である。
【図８】本発明の実施形態のイメージダストオフデータ取得画面であって、取得モードを選択するための画面を示す図（その２）である。
【図９】本発明の実施形態のイメージダストオフデータ取得画面であって、取得モードを選択するための画面を示す図（その３）である。
【図１０】本発明の実施形態のイメージダストオフ処理画面であって、処理画像の選択を行うか否かを選択する画面を示す図である。
【図１１】本発明の実施形態のイメージダストオフ処理画面であって、処理画像選択画面を示す図である。
【図１２】本発明の実施形態のイメージダストオフ処理画面であって、ダストオフデータ選択画面を示す図である。
【図１３】本発明の実施形態のイメージダストオフ処理画面であって、ダストオフデータ処理の進捗を表示する画面を示す図である。
【図１４】本発明の実施形態のダストオフデータ選択画面の他の例を示す図である。
【符号の説明】
【００９８】
ＣＭ…電子カメラ、ＣＢ…カメラボディ、ＣＬ…撮影レンズ、ＬＭ…レンズマウント、ＦＤ…ファインダ部、ＲＭ…クイックリターンミラー、ＯＦ…光学フィルタ、ＰＥ…圧電素子、ＳＷ１…電源スイッチ、ＳＷ２…レリーズスイッチ、ＳＷ３…メニュースイッチ、ＳＷ４…項目選択十字キー、ＳＷ５…ＯＫボタン、１０…撮像素子、１１…メカニカルシャッタ、１７…画像表示モニタ、１０１…制御装置、１０５…画像処理回路、１０６…バッファメモリ、１０７…記録媒体、１１３…圧電素子制御部。
【図１】
2008271029.tif 000003
【図２】
2008271029.tif 000004
【図３】
2008271029.tif 000005
【図４】
2008271029.tif 000006
【図５】
2008271029.tif 000007
【図６】
2008271029.tif 000008
【図７】
2008271029.tif 000009
【図８】
2008271029.tif 000010
【図９】
2008271029.tif 000011
【図１０】
2008271029.tif 000012
【図１１】
2008271029.tif 000013
【図１２】
2008271029.tif 000014
【図１３】
2008271029.tif 000015
【図１４】
2008271029.tif 000016